(57)【要約】【課題】  タンジェンシャル方向のスキュー調整時における動作の信頼性の向上を図る。【解決手段】  樹脂材料によって形成された固定ブロック１０と、固定ブロックに対して少なくともフォーカス方向及びトラッキング方向へ動作される可動ブロック１１と、固定ブロックと可動ブロックを連結し導電性材料によって形成された複数の支持バネ２６、２６、・・・と、可動ブロックをフォーカス方向へ動作させるフォーカス調整用磁気回路６０と、可動ブロックをトラッキング方向へ動作させるトラッキング調整用磁気回路７０と、可動ブロックをタンジェンシャル方向の傾きを調整する方向へ動作させるタンジェンシャルスキュー用磁気回路５０とを設け、固定ブロックに、移動ベースに固定された固定部１３と、支持バネの一端部に連結された変位部１４と、固定部と変位部を連結し該変位部を固定部に対してディスク状記録媒体の記録面に離接する方向へ動作させる弾性変形部１５、１５とを一体に設けた。【選択図】        図１０
2009020978.tif 000002
【特許請求の範囲】
【請求項１】
ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対してレーザー光を照射する光ピックアップであって、
上記対物レンズ駆動装置は、
少なくとも一部が上記移動ベースに固定され樹脂材料によって形成された固定ブロックと、
対物レンズと該対物レンズを保持するレンズホルダーとを有すると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結し導電性材料によって形成された複数の支持バネと、
上記可動ブロックをフォーカス方向へ動作させるフォーカス調整用磁気回路と、
上記可動ブロックをトラッキング方向へ動作させるトラッキング調整用磁気回路と、
上記可動ブロックをトラッキング方向に直交する面内においてタンジェンシャル方向の傾きを調整する方向へ動作させるタンジェンシャルスキュー用磁気回路とを備え、
上記固定ブロックに、上記移動ベースに固定された固定部と、上記支持バネの一端部に連結された変位部と、上記固定部と上記変位部を連結し該変位部を上記固定部に対して上記ディスク状記録媒体の記録面に離接する方向へ動作させる弾性変形部とを一体に設け、
タンジェンシャルスキュー用磁気回路に発生する駆動力により上記弾性変形部が弾性変形して上記変位部が上記固定部に対して動作され上記可動ブロックが上記変位部の動作に伴って上記タンジェンシャル方向の傾きを調整する方向へ動作されるようにした
ことを特徴とする光ピックアップ。
【請求項２】
上記固定ブロックの上記弾性変形部を上記トラッキング方向に離隔して複数設けた
ことを特徴とする請求項１に記載の光ピックアップ。
【請求項３】
上記可動ブロックにフォーカスコイル及びトラッキングコイルを取り付け、
上記フォーカスコイルと上記トラッキングコイルにそれぞれ上記支持バネを接続し、
上記固定ブロックの表面に電源供給用の回路パターンを形成し、
上記電源供給用の回路パターンを上記支持バネに接続した
ことを特徴とする請求項１に記載の光ピックアップ。
【請求項４】
上記固定ブロックの上記変位部に上記タンジェンシャルスキュー用磁気回路のスキュー用コイルを取り付け、
上記固定ブロックの表面に上記電源供給用の回路パターンを形成し、
上記電源供給用の回路パターンを上記スキュー用コイルに接続した
ことを特徴とする請求項１に記載の光ピックアップ。
【請求項５】
上記フォーカス調整用磁気回路に複数のフォーカスコイルを設け、
上記複数のフォーカスコイルに供給する電流の向きを異なるようにし、
上記タンジェンシャル方向に直交する面内において上記可動ブロックの上記ディスク状記録媒体に対するラジアル方向の傾きを調整するようにした
ことを特徴とする請求項１に記載の光ピックアップ。
【請求項６】
ディスク状記録媒体が装着されるディスクテーブルと該ディスクテーブルに装着される上記ディスク状記録媒体に対して対物レンズを介してレーザー光を照射する光ピックアップとを備え、該光ピックアップが上記ディスクテーブルに装着される上記ディスク状記録媒体の半径方向へ移動される移動ベースと該移動ベースに配置された対物レンズ駆動装置とを有するディスクドライブ装置であって、
上記対物レンズ駆動装置は、
少なくとも一部が上記移動ベースに固定され樹脂材料によって形成された固定ブロックと、
対物レンズと該対物レンズを保持するレンズホルダーとを有すると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結し導電性材料によって形成された複数の支持バネと、
上記可動ブロックをフォーカス方向へ動作させるフォーカス調整用磁気回路と、
上記可動ブロックをトラッキング方向へ動作させるトラッキング調整用磁気回路と、
上記可動ブロックをトラッキング方向に直交する面内においてタンジェンシャル方向の傾きを調整する方向へ動作させるタンジェンシャルスキュー用磁気回路とを備え、
上記固定ブロックに、上記移動ベースに固定された固定部と、上記支持バネの一端部に連結された変位部と、上記固定部と上記変位部を連結し該変位部を上記固定部に対して上記ディスク状記録媒体の記録面に離接する方向へ動作させる弾性変形部とを一体に設け、
タンジェンシャルスキュー用磁気回路に発生する駆動力により上記弾性変形部が弾性変形して上記変位部が上記固定部に対して動作され上記可動ブロックが上記変位部の動作に伴って上記タンジェンシャル方向の傾きを調整する方向へ動作されるようにした
ことを特徴とするディスクドライブ装置。
【発明の詳細な説明】
【技術分野】
【０００１】
本発明は光ピックアップ及びディスクドライブ装置に関する。詳しくは、固定ブロックに樹脂材料によって形成された弾性変形部を固定部と変位部に一体に設けて可動ブロックのタンジェンシャル方向のスキュー調整時における動作の信頼性の向上を図る技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップはディスク状記録媒体の半径方向へ移動される移動ベースと該移動ベースに配置された対物レンズ駆動装置とを備え、該対物レンズ駆動装置は、固定ブロックと該固定ブロックに金属製のワイヤー等の支持バネを介して支持された可動ブロックとを備えている。
【０００４】
光ピックアップにあっては、対物レンズを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
このような光ピックアップにあっては、対物レンズを介してディスク状記録媒体の記録面に対して照射されるレーザー光の光軸がディスク状記録媒体の記録面に対して垂直となるように対物レンズのディスク状記録媒体に対する傾きを調整する所謂スキュー調整を行う必要がある。
【０００６】
スキュー調整には、ディスク状記録媒体の半径方向（ラジアル方向）の傾きを調整するラジアル方向のスキュー調整やディスク状記録媒体に形成された記録トラックの接線方向（タンジェンシャル方向）の傾きを調整するタンジェンシャル方向のスキュー調整がある。
【０００７】
従来の光ピックアップには、固定ブロックに金属製の板バネを介してサスペンションベースを連結し、該サスペンションベースと可動ブロックをワイヤー等の支持バネによって連結し、スキュー調整用磁気回路を設けてタンジェンシャル方向のスキュー調整を行うようにしたものがある（例えば、特許文献１参照）。
【０００８】
特許文献１に記載された光ピックアップにあっては、スキュー調整用磁気回路としてトラッキング方向に並んで配置された一対のマグネットと一対のコイルを設け、双方のマグネットに同じ方向への力を発生させるように各コイルに電流を流すことによりタンジェンシャル方向のスキュー調整を行い、各マグネットに逆方向への力を発生させるように各コイルに電流を流すことによりラジアル方向のスキュー調整を行うようにしている。
【０００９】
タンジェンシャル方向のスキュー調整が行われるときには、金属製の板バネがその厚み方向に撓んでサスペンションベースと可動ブロックが固定ブロックに対して動作され、ラジアル方向のスキュー調整が行われるときには、金属製の板バネが捻れてサスペンションベースと可動ブロックが固定ブロックに対して動作される。
【００１０】
【特許文献１】特開２００１−１１００７５号公報
【発明の開示】
【発明が解決しようとする課題】
【００１１】
ところが、特許文献１に記載された光ピックアップにあっては、サスペンションベースが金属製の板バネによって固定ブロックに支持されているため、タンジェンシャル方向のスキュー調整を行ったときに板バネが撓むと同時に板バネに捻れが生じるおそれがあり、タンジェンシャル方向のスキュー調整時における動作の信頼性が低下する可能性がある。
【００１２】
また、特許文献１に記載された光ピックアップにあっては、金属製の板バネが捻れるようにすることによりラジアル方向のスキュー調整を行うようにしているため、設計状態において予め板バネに捻れが生じることが意図され、捻れが生じる程度の剛性を有する板バネが用いられており、タンジェンシャル方向のスキュー調整を行ったときに板バネに捻れが生じる可能性が高い。
【００１３】
一方、特許文献１に記載された光ピックアップにおいて、ラジアル方向のスキュー調整を行ったときには、板バネが捻れると同時に板バネに撓みが生じるおそれがあり、ラジアル方向のスキュー調整時における動作の信頼性が低下する可能性もある。
【００１４】
そこで、本発明光ピックアップ及びディスクドライブ装置は、上記した問題点を克服し、タンジェンシャル方向のスキュー調整時における動作の信頼性の向上を図ることを課題とする。
【課題を解決するための手段】
【００１５】
光ピックアップ及びディスクドライブ装置は、上記した課題を解決するために、対物レンズ駆動装置に、少なくとも一部が移動ベースに固定され樹脂材料によって形成された固定ブロックと、対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結し導電性材料によって形成された複数の支持バネと、可動ブロックをフォーカス方向へ動作させるフォーカス調整用磁気回路と、可動ブロックをトラッキング方向へ動作させるトラッキング調整用磁気回路と、可動ブロックをトラッキング方向に直交する面内においてタンジェンシャル方向の傾きを調整する方向へ動作させるタンジェンシャルスキュー用磁気回路とを設け、固定ブロックに、移動ベースに固定された固定部と、支持バネの一端部に連結された変位部と、固定部と変位部を連結し該変位部を固定部に対してディスク状記録媒体の記録面に離接する方向へ動作させる弾性変形部とを一体に設け、タンジェンシャルスキュー用磁気回路に発生する駆動力により弾性変形部が弾性変形して変位部が固定部に対して動作され可動ブロックが変位部の動作に伴ってタンジェンシャル方向の傾きを調整する方向へ動作されるようにしたものである。
【００１６】
従って、光ピックアップ及びディスクドライブ装置にあっては、樹脂材料によって固定部と変位部に一体に設けられた弾性変形部が弾性変形して可動ブロックがタンジェンシャル方向の傾きを調整する方向へ動作される。
【発明の効果】
【００１７】
本発明光ピックアップは、ディスクテーブルに装着されるディスク状記録媒体の半径方向へ移動される移動ベースと該移動ベースに配置された対物レンズ駆動装置とを備えると共にディスクテーブルに装着されたディスク状記録媒体に対してレーザー光を照射する光ピックアップであって、対物レンズ駆動装置は、少なくとも一部が移動ベースに固定され樹脂材料によって形成された固定ブロックと、対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結し導電性材料によって形成された複数の支持バネと、可動ブロックをフォーカス方向へ動作させるフォーカス調整用磁気回路と、可動ブロックをトラッキング方向へ動作させるトラッキング調整用磁気回路と、可動ブロックをトラッキング方向に直交する面内においてタンジェンシャル方向の傾きを調整する方向へ動作させるタンジェンシャルスキュー用磁気回路とを備え、固定ブロックに、移動ベースに固定された固定部と、支持バネの一端部に連結された変位部と、固定部と変位部を連結し該変位部を固定部に対してディスク状記録媒体の記録面に離接する方向へ動作させる弾性変形部とを一体に設け、タンジェンシャルスキュー用磁気回路に発生する駆動力により弾性変形部が弾性変形して変位部が固定部に対して動作され可動ブロックが変位部の動作に伴ってタンジェンシャル方向の傾きを調整する方向へ動作されるようにしたことを特徴とする。
【００１８】
従って、タンジェンシャル方向のスキュー調整時に弾性変形部が捻れる方向へ変形し難く、タンジェンシャル方向のスキュー調整時における動作の信頼性の向上を図ることができる。
【００１９】
請求項２に記載した発明にあっては、固定ブロックの弾性変形部をトラッキング方向に離隔して複数設けたので、弾性変形部に捻れが生じる可能性が低く、タンジェンシャル方向のスキュー調整における調整精度の向上を図ることができる。
【００２０】
請求項３に記載した発明にあっては、可動ブロックにフォーカスコイル及びトラッキングコイルを取り付け、フォーカスコイルとトラッキングコイルにそれぞれ支持バネを接続し、固定ブロックの表面に電源供給用の回路パターンを形成し、電源供給用の回路パターンを支持バネに接続したので、レンズホルダーの移動に対して負荷を付与するおそれのあるフレキシブルプリント配線板等をフォーカスコイル又はトラッキングコイルに接続して電源を供給する必要がなく、可動ブロックの動作の信頼性の向上を図ることができる。
【００２１】
請求項４に記載した発明にあっては、固定ブロックの変位部にタンジェンシャルスキュー用磁気回路のスキュー用コイルを取り付け、固定ブロックの表面に電源供給用の回路パターンを形成し、電源供給用の回路パターンをスキュー用コイルに接続したので、変位部の移動に対して負荷を付与するおそれのあるフレキシブルプリント配線板等をスキュー用コイルに接続して電源を供給する必要がなく、変位部及び該変位部に伴って動作される可動ブロックの動作の信頼性の向上を図ることができる。
【００２２】
請求項５に記載した発明にあっては、フォーカス調整用磁気回路に複数のフォーカスコイルを設け、複数のフォーカスコイルに供給する電流の向きを異なるようにし、タンジェンシャル方向に直交する面内において可動ブロックのディスク状記録媒体に対するラジアル方向の傾きを調整するようにしたので、特に専用のラジアル方向のスキュー調整を行うラジアルスキュー調整用磁気回路を設けることなくラジアル方向のスキュー調整を行うことができ、光ピックアップの構造の簡素化を図ることができる。
【００２３】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有するディスクドライブ装置であって、対物レンズ駆動装置は、少なくとも一部が移動ベースに固定され樹脂材料によって形成された固定ブロックと、対物レンズと該対物レンズを保持するレンズホルダーとを有すると共に固定ブロックに対して少なくともディスク状記録媒体の記録面に離接する方向であるフォーカス方向及びディスク状記録媒体の略半径方向であるトラッキング方向へ動作される可動ブロックと、固定ブロックと可動ブロックを連結し導電性材料によって形成された複数の支持バネと、可動ブロックをフォーカス方向へ動作させるフォーカス調整用磁気回路と、可動ブロックをトラッキング方向へ動作させるトラッキング調整用磁気回路と、可動ブロックをトラッキング方向に直交する面内においてタンジェンシャル方向の傾きを調整する方向へ動作させるタンジェンシャルスキュー用磁気回路とを備え、固定ブロックに、移動ベースに固定された固定部と、支持バネの一端部に連結された変位部と、固定部と変位部を連結し該変位部を固定部に対してディスク状記録媒体の記録面に離接する方向へ動作させる弾性変形部とを一体に設け、タンジェンシャルスキュー用磁気回路に発生する駆動力により弾性変形部が弾性変形して変位部が固定部に対して動作され可動ブロックが変位部の動作に伴ってタンジェンシャル方向の傾きを調整する方向へ動作されるようにしたことを特徴とする。
【００２４】
従って、タンジェンシャル方向のスキュー調整時に弾性変形部が捻れる方向へ変形し難く、タンジェンシャル方向のスキュー調整時における動作の信頼性の向上を図ることができる。
【発明を実施するための最良の形態】
【００２５】
以下に、本発明光ピックアップ及びディスクドライブ装置の最良の形態を添付図面を参照して説明する。
【００２６】
ディスクドライブ装置１は、外筐２の内部に所要の各部材及び各機構が配置されて成り（図１参照）、外筐２には図示しないディスク挿入口が形成されている。
【００２７】
外筐２の内部には図示しないシャーシが配置され、該シャーシに取り付けられたスピンドルモーターのモーター軸にディスクテーブル３が固定されている。
【００２８】
シャーシには、平行なガイド軸４、４が取り付けられると共に図示しない送りモーターによって回転されるリードスクリュー５が支持されている。
【００２９】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００３０】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されたディスク状記録媒体１００の半径方向（ラジアル方向）へ移動される。
【００３１】
ディスク状記録媒体１００としては、例えば、ＤＶＤ（Digital Versatile Disc）とＣＤ（Compact Disc）に加え、ＢＤ（Blu-ray Disc）が用いられる。これらの各ディスク状記録媒体１００のレーザー光の使用波長は、ＤＶＤが約６６０ｎｍ、ＣＤが約７８０ｎｍ、ＢＤが約４０５ｎｍである。
【００３２】
対物レンズ駆動装置８はベース部材９と固定ブロック１０と該固定ブロック１０に対して動作される可動ブロック１１とを有している（図２乃至図５参照）。
【００３３】
ベース部材９は磁性金属材料によって形成され、上下方向を向く平板状のベース部９ａと該ベース部９ａの前後両縁からそれぞれ直角に立ち曲げられたヨーク部９ｂ、９ｃ、９ｃとベース部９ａの左右両側縁からそれぞれ直角に立ち曲げられた側壁部９ｄ、９ｄとから成る。ヨーク部９ｂとヨーク部９ｃ、９ｃは前後方向、即ち、ディスク状記録媒体１００のタンジェンシャル方向に離隔して設けられ、ヨーク部９ｃ、９ｃは左右方向、即ち、ディスク状記録媒体１００の半径方向に離隔して設けられている。前側に位置するヨーク部９ｂの上端部には左右に離隔して前方へ突出されたストッパー突部９ｅ、９ｅが設けられている。
【００３４】
ヨーク部９ｂとヨーク部９ｃ、９ｃの互いに対向する面には、それぞれマグネット１２、１２、１２が取り付けられている。
【００３５】
固定ブロック１０は固定部１３と変位部１４と弾性変形部１５、１５とが樹脂材料によって一体に形成されて成り、固定部１３が移動ベース７に固定されている。
【００３６】
固定部１３はベース底面部１６と該ベース底面部１６の左右両端部に連続して設けられ後半部がベース底面部１６より後方に位置されたサイド底面部１７、１７と該サイド底面部１７の左右両端部からそれぞれ上方へ突出された外側面部１８、１８とベース底面部１６の後端部から上方へ突出された壁面部１９と該壁面部１９の左右両端部に連続されサイド底面部１７、１７の内側の側縁部からそれぞれ上方へ突出された側面部２０、２０と壁面部１９の左右方向における中央部から後方へ突出された突出部２１とを有している。
【００３７】
外側面部１８、１８はベース部材９の側壁部９ｄ、９ｄの後側に結合された状態で位置されている。一方の外側面部１８の外面には側方へ突出された突片部１８ａが設けられ、該突片部１８ａは前後に長い板状に形成されている。外側面部１８、１８の外面には、それぞれ前後両端部に側方へ突出された固定用突部１８ｂ、１８ｂ、・・・が設けられている。
【００３８】
壁面部１９の上端部には左右に離隔して前方へ突出されたストッパー突部１９ａ、１９ａが設けられている。ストッパー突部１９ａ、１９ａの下面の高さ位置はベース部材９のヨーク部９ｂに設けられたストッパー突部９ｅ、９ｅの下面の高さ位置と同じにされている。
【００３９】
突出部２１の後端部にはヨーク２２とマグネット２３が前後で結合された状態で取り付けられている。
【００４０】
固定部１３は、例えば、外側面部１８、１８に設けられた固定用突部１８ｂ、１８ｂ、・・・が移動ベース７に接着や半田付け等により固定されている。
【００４１】
変位部１４は固定部１３の後方に位置され、前後方向を向く略平板状に形成されている。変位部１４の左右方向における中央部にはスキュー用コイル２４が取り付けられ、該スキュー用コイル２４はマグネット２３に対向して位置されている。
【００４２】
変位部１４の後面には、左右に離隔して三つずつの端子部２５、２５、・・・が設けられている（図６参照）。端子部２５、２５、・・・には、それぞれ変位部１４を貫通された支持バネ２６、２６、・・・の各後端部が接続されている。支持バネ２６、２６、・・・は導電性金属材料によって、例えば、ワイヤー状又は板状に形成されている。
【００４３】
固定部１３に取り付けられたヨーク２２及びマグネット２３と変位部１４に取り付けられたスキュー用コイル２４とによってタンジェンシャルスキュー用磁気回路５０が構成される（図２乃至図４参照）。
【００４４】
弾性変形部１５、１５は固定部１３の壁面部１９と変位部１４を連結するように設けられ、前後方向に長く上下に扁平な板状に形成されている。
【００４５】
固定ブロック１０の各部の表面にはメッキ処理が施されて回路パターン２７が形成されている（図６及び図７参照）。回路パターン２７のうち、突片部１８ａに設けられた部分は接続端子部２７ａ、２７ａ、・・・として形成されている。接続端子部２７ａ、２７ａ、・・・は図示しない電源供給回路に接続されている。回路パターン２７の一部は変位部１４の後面に形成された端子部２５、２５、・・・に接続されている。また、回路パターン２７の別の一部は変位部１４の前面に取り付けられたスキュー用コイル２４に接続されている。
【００４６】
可動ブロック１１はレンズホルダー２８と該レンズホルダー２８に保持された対物レンズ２９、２９とを有している（図２乃至図５参照）。
【００４７】
レンズホルダー２８は樹脂材料によって形成され、本体部３０と該本体部３０の後面における下端部から後方へ突出された被規制突部３１、３１とから成る。
【００４８】
本体部３０の前端部には左右に離隔して上下に貫通された光透過孔３０ａ、３０ａが形成されている。本体部３０の左右両側面にはそれぞれ外方へ突出された連結用突部３０ｂ、３０ｂが設けられている。本体部３０には上下に貫通されたマグネット挿通孔３０ｃ、３０ｄ、３０ｄが形成され、該マグネット挿通孔３０ｃとマグネット挿通孔３０ｄ、３０ｄは光透過孔３０ａ、３０ａの後方において前後に離隔して位置されている。
【００４９】
本体部３０の下端部には後方へ突出された被規制片３０ｅ、３０ｅが設けられている（図５参照）。被規制片３０ｅ、３０ｅは前側に位置するマグネット挿通孔３０ｃの前側開口縁に対応した位置に設けられている。被規制片３０ｅ、３０ｅの上面の高さ位置は被規制突部３１、３１の上面の高さ位置と同じにされている。
【００５０】
対物レンズ２９、２９は、図２乃至図４に示すように、光透過孔３０ａ、３０ａを上側から覆う状態でレンズホルダー２８に取り付けられて該レンズホルダー２８に保持される。対物レンズ２９、２９は、例えば、一方がＤＶＤとＣＤの使用波長のレーザー光を集光する機能を有し、他方がＢＤの使用波長のレーザー光を集光する機能を有する。対物レンズ２９は略平板状に形成されたプレート部２９ａと該プレート部２９ａの下面に連続し下方へ凸の略半球状に形成された球状部２９ｂとによって構成されている。
【００５１】
本体部３０の連結用突部３０ｂ、３０ｂにはそれぞれ三つずつの支持バネ２６、２６、・・・の前端部が連結されている。従って、可動ブロック１１は支持バネ２６、２６、・・・によって固定ブロック１０と連結されて中空に保持される。
【００５２】
レンズホルダー２８にはコイル体３２が取り付けられる。コイル体３２は可動ブロック１１をフォーカス方向へ動作させるためのフォーカスコイル３３、３３と可動ブロック１１をトラッキング方向へ動作させるためのトラッキングコイル３４、３４、３４とから成る。フォーカスコイル３３、３３は左右で結合され、トラッキングコイル３４、３４、３４はフォーカスコイル３３、３３の前面に左右に並ぶようにして取り付けられている。フォーカス方向はディスク状記録媒体１００に離接する方向（図４に示すＦ方向）、即ち、上下方向であり、トラッキング方向はディスク状記録媒体１００の半径方向（図４に示すＴＲ方向）、即ち、左右方向である。また、フォーカス方向及びトラッキング方向にともに直交する方向がディスク状記録媒体１００の記録トラックの接線方向であるタンジェンシャル方向（図４に示すＴＡＮ方向）、即ち、前後方向とされる。
【００５３】
コイル体３２はフォーカスコイル３３、３３がマグネット挿通孔３０ｄ、３０ｄに対応した状態でレンズホルダー２８の下面に取り付けられ、トラッキングコイル３４、３４、３４はマグネット挿通孔３０ｃとマグネット挿通孔３０ｄ、３０ｄの間に位置される。
【００５４】
コイル体３２が取り付けられた可動ブロック１１が支持バネ２６、２６、・・・に支持された状態においては、コイル体３２のフォーカスコイル３３、３３の内部にそれぞれベース部材９のヨーク部９ｃ、９ｃと該ヨーク部９ｃ、９ｃに取り付けられたマグネット１２、１２とが挿入され、トラッキングコイル３４、３４、３４がベース部材９のヨーク部９ｂに取り付けられたマグネット１２に対向して位置される。このときヨーク部９ｃ、９ｃとこれに取り付けられたマグネット１２、１２の上方にはレンズホルダー２８のマグネット挿通孔３０ｄ、３０ｄが位置され、ヨーク部９ｂとこれに取り付けられたマグネット１２の上方にはレンズホルダー２８のマグネット挿通孔３０ｃが位置される。
【００５５】
コイル体３２が取り付けられた状態における可動ブロック１１の駆動中心は、固定ブロック１０の壁面部１９に設けられたストッパー突部１９ａ、１９ａとベース部材９のヨーク部９ｂに設けられたストッパー突部９ｅ、９ｅとによって囲まれた位置に存在する。
【００５６】
ベース部材９と該ベース部材９に取り付けられたマグネット１２、１２、１２とコイル体３２のフォーカスコイル３３、３３とによってフォーカス調整用磁気回路６０が構成され、ベース部材９と該ベース部材９に取り付けられたマグネット１２、１２、１２とコイル体３２のトラッキングコイル３４、３４、３４とによってトラッキング調整用磁気回路７０が構成される。
【００５７】
レンズホルダー２８の連結用突部３０ｂ、３０ｂに連結された支持バネ２６、２６、・・・の前端部は、フォーカスコイル３３、３３又はトラッキングコイル３４、３４、３４に接続されている。
【００５８】
レンズホルダー２８の上面には、保護部材３５が取り付けられている。保護部材３５は、例えば、ゴム材料やウレタン等の耐衝撃性が高い材料によって形成され、可動ブロック１１とコイル体３２が結合された状態における重心の真上に位置されている。
【００５９】
また、保護部材３５は、図８に示すように、対物レンズ２９、２９に対してディスク状記録媒体１００の回転方向Ｒと反対側に位置されている。
【００６０】
電源回路から固定ブロック１０の表面に形成された回路パターン２７及び支持バネ２６、２６、・・・を介してフォーカスコイル３３、３３又はトラッキングコイル３４、３４、３４に駆動電流が供給されると、これらの駆動電流の向きとマグネット１２、１２、１２及びヨーク部９ｂ、９ｃ、９ｃにより発生する磁束の方向とに応じた向きの力が発生し、可動ブロック１１がフォーカス方向又はトラッキング方向へ移動される。
【００６１】
可動ブロック１１がフォーカス方向又はトラッキング方向へ動作されるときには、支持バネ２６、２６、・・・が弾性変形される。
【００６２】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００６３】
この記録動作及び再生動作において、フォーカスコイル３３、３３に駆動電流が供給されると、上記したように、対物レンズ駆動装置８の可動ブロック１１が固定ブロック１０に対して図４に示すフォーカス方向Ｆ−Ｆへ動作され、移動ベース７に設けられた図示しない半導体レーザーから出射され対物レンズ２９を介して照射されるレーザー光のスポットがディスク状記録媒体１００の記録面に集光するようにフォーカス調整が行われる。
【００６４】
また、トラッキングコイル３４、３４、３４に駆動電流が供給されると、上記したように、対物レンズ駆動装置８の可動ブロック１１が固定ブロック１０に対して図４に示すトラッキング方向ＴＲ−ＴＲへ動作され、半導体レーザーから出射され対物レンズ２９を介して照射されるレーザー光のスポットがディスク状記録媒体１００の記録トラック上に集光するようにトラッキング調整が行われる。
【００６５】
尚、記録動作又は再生動作時におけるフォーカス調整において、可動ブロック１１がディスク状記録媒体１００の記録面に近付く方向へ大きく移動される可能性があるが、この場合には、レンズホルダー２８の上面に取り付けられた保護部材３５がディスク状記録媒体１００の記録面に接触し、レンズホルダー２８や対物レンズ２９、２９はディスク状記録媒体１００の記録面に接触しない。
【００６６】
従って、レンズホルダー２８、対物レンズ２９、２９及びディスク状記録媒体１００の記録面の傷付きや損傷を防止することができる。
【００６７】
また、上記したように、保護部材３５は、可動ブロック１１とコイル体３２が結合された状態における重心の真上に位置されているため、可動ブロック１１がディスク状記録媒体１００の記録面に近付く方向へ大きく移動されたときに、保護部材３５が必ずディスク状記録媒体１００の記録面に接触され他の部分がディスク状記録媒体１００に接触されることがなく、レンズホルダー２８、対物レンズ２９、２９及びディスク状記録媒体１００の記録面の傷付きや損傷を確実に防止することができる。
【００６８】
さらに、上記したように、保護部材３５は、対物レンズ２９、２９に対してディスク状記録媒体１００の回転方向Ｒと反対側に位置されているため、ディスク状記録媒体１００の回転時に可動ブロック１１がディスク状記録媒体１００の記録面に近付く方向へ大きく移動されたときに、対物レンズ２９、２９よりも保護部材３５がディスク状記録媒体１００の記録面に接触し易く、レンズホルダー２８、対物レンズ２９、２９及びディスク状記録媒体１００の記録面の傷付きや損傷を回避することができる。
【００６９】
一方、電源回路から固定ブロック１０の表面に形成された回路パターン２７を介してスキュー用コイル２４に駆動電流が供給されると、これらの駆動電流の向きとマグネット２３及びヨーク２２より発生する磁束の方向とに応じた向きの力が発生し、弾性変形部１５、１５が上下方向へ撓んで変位部１４が固定部１３に対して略上下方向へ変位される。変位部１４が略上下方向へ変位されると、該変位部１４に支持バネ２６、２６、・・・を介して連結されている可動ブロック１１が変位部１４の変位に伴ってトラッキング方向に直交する面内において移動され、光軸がディスク状記録媒体１００の記録面に垂直となるようにタンジェンシャル方向のスキュー調整が行われる。
【００７０】
また、可動ブロック１１に取り付けられたコイル体３２のフォーカスコイル３３、３３に供給する駆動電流の量を左右で変化させたり、フォーカスコイル３３、３３に逆方向への駆動電流を供給することにより、タンジェンシャル方向の軸を中心とした回転方向に可動ブロック１１を移動させて、光軸がディスク状記録媒体１００の記録面に垂直となるようにラジアル方向のスキュー調整を行うことが可能である。
【００７１】
従って、特に専用のラジアル方向のスキュー調整を行うラジアルスキュー調整用磁気回路を設けることなくラジアル方向のスキュー調整を行うことができ、光ピックアップ６の構造の簡素化を図ることができる。
【００７２】
尚、ディスクドライブ装置１に落下等の衝撃による外力が付与された場合には、可動ブロック１１がフォーカス方向へ大きく移動されるおそれがあるが、このような場合には、固定ブロック１０の壁面部１９に設けられたストッパー突部１９ａ、１９ａとベース部材９のヨーク部９ｂに設けられたストッパー突部９ｅ、９ｅに、それぞれレンズホルダー２８の被規制片３０ｅ、３０ｅと被規制突部３１、３１が接触されて可動ブロック１１のディスク状記録媒体１００の記録面に近付く方向への移動が規制される。
【００７３】
従って、ディスク状記録媒体１００と可動ブロック１１の傷付き及び損傷を回避することができると共に支持バネ２５、２５、・・・からの可動ブロック１１の外れを防止することができる。
【００７４】
また、上記したように、コイル体３２が取り付けられた状態における可動ブロック１１の駆動中心が、ストッパー突部１９ａ、１９ａとストッパー突部９ｅ、９ｅとによって囲まれた位置に存在するため、ストッパー突部１９ａ、１９ａとストッパー突部９ｅ、９ｅによって可動ブロック１１の移動が規制された状態において該可動ブロック１１がディスク状記録媒体１００の記録面に対して傾くことがなく、可動ブロック１１とディスク状記録媒体１００の記録面との接触を確実に防止することができる。
【００７５】
尚、上記には、可動ブロック１１の移動を規制する部分としてストッパー突部１９ａ、１９ａとストッパー突部９ｅ、９ｅの四つの部分を設けた例を示したが、可動ブロック１１の移動を規制する部分の数は四つに限られることはなく、三つ以上あれば任意の数とすることが可能である。
【００７６】
以上に記載した通り、光ピックアップ６にあっては、対物レンズ駆動装置８の固定ブロック１０に、固定部１３に対して変位部１４をディスク状記録媒体１００の記録面に離接する方向へ動作させる弾性変形部１５、１５とを一体に設けてタンジェンシャル方向のスキュー調整を行うようにしているため、このスキュー調整時に弾性変形部１５、１５が捻れる方向へ変形し難く、タンジェンシャル方向のスキュー調整時における動作の信頼性の向上を図ることができる。
【００７７】
また、ラジアル方向のスキュー調整を、フォーカスコイル３３、３３に供給する駆動電流の量を調節して可動ブロック１１を変位部１４に対して移動させることにより行うことが可能であるため、ラジアル方向のスキュー調整時に支持バネ２６、２６、・・・の捻れのみにより可動ブロック１１が動作され弾性変形部１５、１５には撓みが生じないため、ラジアル方向のスキュー調整時における動作の信頼性の向上を図ることができる。
【００７８】
さらに、固定ブロック１０の弾性変形部１５、１５がトラッキング方向に離隔して複数設けられているため、弾性変形部１５、１５に捻れが生じる可能性が低く、タンジェンシャル方向のスキュー調整における調整精度の向上を図ることができる。
【００７９】
さらにまた、光ピックアップ６にあっては、固定ブロック１０の表面に電源供給用の回路パターン２７を形成し、固定部１３に対して移動可能な変位部１４又はレンズホルダー２８に取り付けられたスキュー用コイル２４、フォーカスコイル３３、３３及びトラッキングコイル３４、３４、３４に電源を供給しているため、変位部１４及びレンズホルダー２８の移動に対して負荷を付与するおそれのあるフレキシブルプリント配線板等をスキュー用コイル２４、フォーカスコイル３３、３３又はトラッキングコイル３４、３４、３４に接続して電源を供給する必要がなく、変位部１４及び可動ブロック１１の動作の信頼性の向上を図ることができる。
【００８０】
尚、上記には、固定部１３に対して移動可能な変位部１４とレンズホルダー２８にそれぞれスキュー用コイル２４とコイル体３２を取り付けた所謂ムービングコイル型の対物レンズ駆動装置８を例として示したが、逆に、変位部１４とレンズホルダー２８にそれぞれマグネットを取り付けた所謂ムービングマグネット型の対物レンズ駆動装置とすることも可能である。
【００８１】
また、例えば、図１１に示すように、固定ブロック１０の変位部１４の後方に補助マグネット３６を配置してタンジェンシャルスキュー用磁気回路５０に生じる力を大きくして、タンジェンシャル方向のスキュー調整時における動作の感度の向上を図るようにすることも可能である。
【００８２】
さらに、上記には、二つの対物レンズ２９、２９を有する対物レンズ駆動装置８を例として示したが、対物レンズ２９の数は用いられるディスク状記録媒体１００の種類や対物レンズ２９の特性に応じて任意に定められ、対物レンズ２９の数は任意である。
【００８３】
但し、上記した二つの対物レンズ２９、２９を有する対物レンズ駆動装置８において、弾性変形部１５、１５を弾性変形させてタンジェンシャル方向のスキュー調整を行うことにより、何れの対物レンズ２９、２９を透過して照射されるレーザー光の光軸をもディスク状記録媒体１００の記録面に垂直となるように適正に調整することができる。
【００８４】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００８５】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８６】
【図１】図２乃至図１１と共に本発明光ピックアップ及びディスクドライブ装置を実施するための最良の形態を示すものであり、本図はディスクドライブ装置の概略斜視図である。
【図２】対物レンズ駆動装置を固定ブロックに形成された回路パターンを省略して示す分解斜視図である。
【図３】対物レンズ駆動装置を固定ブロックに形成された回路パターンを省略し一部を分解して示す拡大斜視図である。
【図４】対物レンズ駆動装置を固定ブロックに形成された回路パターンを省略して示す拡大斜視図である。
【図５】図４のＶ−Ｖ線に沿う断面図である。
【図６】対物レンズ駆動装置の拡大背面図である。
【図７】対物レンズ駆動装置の拡大平面図である。
【図８】保護部材とディスク状記録媒体の回転方向における関係を示す概念図である。
【図９】タンジェンシャル方向のスキュー調整時に可動ブロックが一方へ動作された状態を示す概略側面図である。
【図１０】タンジェンシャル方向のスキュー調整時に可動ブロックが他方へ動作された状態を示す概略側面図である。
【図１１】補助マグネットを配置した例を示す対物レンズ駆動装置の拡大断面図である。
【符号の説明】
【００８７】
１…ディスクドライブ装置、３…ディスクテーブル、６…光ピックアップ、７…移動ベース、８…対物レンズ駆動装置、１０…固定ブロック、１１…可動ブロック、１３…固定部、１４…変位部、１５…弾性変形部、２６…支持バネ、２７…回路パターン、２８…レンズホルダー、２９…対物レンズ、３３…フォーカスコイル、３４…トラッキングコイル、５０…タンジェンシャルスキュー用磁気回路、６０…フォーカス調整用磁気回路、７０…トラッキング調整用磁気回路、１００…ディスク状記録媒体
【図１】
2009020978.tif 000003
【図２】
2009020978.tif 000004
【図３】
2009020978.tif 000005
【図４】
2009020978.tif 000006
【図５】
2009020978.tif 000007
【図６】
2009020978.tif 000008
【図７】
2009020978.tif 000009
【図８】
2009020978.tif 000010
【図９】
2009020978.tif 000011
【図１０】
2009020978.tif 000012
【図１１】
2009020978.tif 000013